(57)【要約】      （修正有）【課題】複数の容器の内の１つの容器を挟持する際に他の容器があっても当該１つの容器を容易に挟持できる挟持具を提供する。【解決手段】交差されかつ開閉可能に支持された長尺状の２本の支持体１２Ａ、１２Ｂ各々の先端に設けられた挟持部１６により、支持体が閉じられた場合に容器を挟んで保持する容器挟持具１０において、２本の支持体１２Ａ，１２Ｂの少なくとも挟持部１６側が、２本の支持体１２Ａ，１２Ｂの開閉により挟持部１６が移動する面Ｍから外れるように、曲がっている。一対の挟持部体１６Ａ、１６Ｂを容器の被挟持部に位置させると、２本の支持体の一対の挟持部体１２Ａ，１２Ｂが設けられた側とは反対側の部分が別の容器の上部に位置させることができる。よって、別の容器が邪魔になることを防止することができる。【選択図】図１
0003170516.tif 000002
【実用新案登録請求の範囲】
【請求項１】
長尺状の２本の支持体と、
前記２本の支持体を交差させかつ開閉可能に支持する支持部と、
前記２本の支持体各々の先端に設けられ、前記支持体が閉じられた場合に容器を挟んで保持する挟持部と、
を備え、
前記２本の支持体の少なくとも前記挟持部側が、前記開閉により前記挟持部が移動する面から外れるように、曲がっていることを特徴とする容器挟持具。
【請求項２】
長尺状の２本の支持体と、
前記２本の支持体を交差させかつ開閉可能に支持する支持部と、
前記２本の支持体各々の先端に設けられ、前記支持体が閉じられた場合に容器を挟んで保持する挟持部と、
を備え、
前記挟持部は、
前記支持体が閉じられた場合における前記挟持部及び前記支持体の接続部位と前記挟持部の先端部位とを通る円の内側に配置された１対の挟持部体により構成されたことを特徴とする容器挟持具。
【請求項３】
長尺状の２本の支持体と、
前記２本の支持体を交差させかつ開閉可能に支持する支持部と、
前記２本の支持体各々の先端に設けられ、前記支持体が閉じられた場合に容器を挟んで保持する挟持部と、
を備え、
前記挟持部は、
前記２本の支持体各々の先端に前記開閉により前記挟持部が移動する面と交差する方向を軸中心として軸支され、前記容器に当って接触する部分を有する弾性変形可能な部材で構成された1対の挟持部体により構成されたことを特徴とする容器挟持具。
【考案の詳細な説明】
【技術分野】
【０００１】
本考案は、容器挟持具にかかり、より詳細には、交差されかつ開閉可能に支持された長尺状の２本の支持体各々の先端に設けられた挟持部により、支持体が閉じられた場合に容器を挟んで保持する容器挟持具に関する。
【背景技術】
【０００２】
従来、医療用容器を箱等の収容体から取り出す際、容器内の液体等が手に付着しないように注意する必要がある。また、容器自体が高温で触れることが困難な場合もある。このため、従来では、容器挟持具が用いられている。このような容器挟持具は、はさみ状に構成されている。即ち、長尺状の２本の支持板（はさみの柄）を交差させかつ開閉可能に支持し、２本の支持体各々の先端には、当該支持体が閉じられた場合に、円状に容器を挟んで保持する1対の挟持部体が設けられている。
【０００３】
一方、上記容器における上記1対の挟持部体により挟持される部分（被挟持部）の上側には、上記円より太い部分が設けられている。
よって、上記容器の被挟持部を上記1対の挟持部体により挟持して、容器挟持具を持ち上げると、被挟持部の上側の太い部分（載置部）が1対の挟持部体の上に載ることになり、容器が滑り落ちることを防止することができる。このように、容器挟持具で医療用容器を収容体から取り出すことができ、容器を取り出す際、容器内の液体等が手に付着することを防止することができる。
【非特許文献１】http://www.mhlw.go.jp/shingi/2004/06/dl/s0624-4d2.pdf#search
【考案の開示】
【考案が解決しようとする課題】
【０００４】
しかし、各々同じ長さの容器が収容体に複数収容されている場合に、その内の１つを容器挟持具で挟持する際に、容器挟持具の長尺状の２本の支持板（はさみの柄）が他の容器にぶつかり、他の容器が邪魔になる。
本考案の第１の目的は、上記事実に鑑みて成されたものであり、複数の容器の内の１つの容器を挟持する際に他の容器があっても当該容器を容易に挟持可能な容器挟持具を提供することにある。
また、上記従来の技術の容器挟持具では、２本の支持体が閉じられた場合に、１対の挟持部体により囲まれる領域が円であるので、容器の上記載置部の断面の面積が当該円の面より小さいと、容器を挟持することができない。
【０００５】
本考案の第２の目的は、上記事実に鑑みて成されたものであり、支持体が閉じられた場合に、容器の載置部の断面の面積が、挟持部及び支持体の接続部位と挟持部の先端部位とを通る円の面積より小さくても、当該容器を挟持することの可能な容器挟持具を提供することにある。
そして、上記従来の技術の容器挟持具では、１対の挟持部体により囲まれる領域の大きさが固定されているので、種々の太さの容器を柔軟に挟持することができない。
本考案の第３の目的は、上記事実に鑑みて成されたものであり、種々の太さの容器を柔軟に挟持することが可能な容器挟持具を提供することにある。
【課題を解決するための手段】
【０００６】
以上のような問題を解決する本考案は、以下のような構成を有する。
（１）長尺状の２本の支持体と、
前記２本の支持体を交差させかつ開閉可能に支持する支持部と、
前記２本の支持体各々の先端に設けられ、前記支持体が閉じられた場合に容器を挟んで保持する挟持部と、
を備え、
前記２本の支持体の少なくとも前記挟持部側が、前記開閉により前記挟持部が移動する面から外れるように、曲がっていることを特徴とする容器挟持具。
【０００７】
（２）長尺状の２本の支持体と、
前記２本の支持体を交差させかつ開閉可能に支持する支持部と、
前記２本の支持体各々の先端に設けられ、前記支持体が閉じられた場合に容器を挟んで保持する挟持部と、
を備え、
前記挟持部は、
前記支持体が閉じられた場合における前記挟持部及び前記支持体の接続部位と前記挟持部の先端部位とを通る円の内側に配置された１対の挟持部体により構成されたことを特徴とする容器挟持具。
【０００８】
（３）長尺状の２本の支持体と、
前記２本の支持体を交差させかつ開閉可能に支持する支持部と、
前記２本の支持体各々の先端に設けられ、前記支持体が閉じられた場合に容器を挟んで保持する挟持部と、
を備え、
前記挟持部は、
前記２本の支持体各々の先端に前記開閉により前記挟持部が移動する面と交差する方向を軸中心として軸支され、前記容器に当って接触する部分を有する弾性変形可能な部材で構成された1対の挟持部体により構成されたことを特徴とする容器挟持具。
【考案の効果】
【０００９】
請求項１記載の考案によれば、交差されかつ開閉可能に支持された長尺状の２本の支持体各々の先端に設けられた挟持部により、支持体が閉じられた場合に容器を挟んで保持する容器挟持具において、２本の支持体の少なくとも挟持部側が、該開閉により挟持部が移動する面から外れるように、曲げている。よって、例えば、各々同じ長さの容器が複数収容されている場合に、その内の１つを挟持する際に、２本の支持体の挟持部側と反対側が他の容器から外れた位置に位置させることができ、他の容器が邪魔になることを防止することができる。これにより、複数の容器の内の１つの容器を挟持する際に他の容器があっても当該容器を容易に挟持することができる。
【００１０】
請求項２記載の考案によれば、交差されかつ開閉可能に支持された長尺状の２本の支持体各々の先端に設けられた挟持部により、支持体が閉じられた場合に容器を挟んで保持する容器挟持具において、挟持部を、支持体が閉じられた場合における挟持部及び支持体の接続部位と挟持部の先端部位とを通る円の内側に配置された１対の挟持部体により構成している。よって、支持体が閉じられた場合に、１対の挟持部体により囲まれる領域を当該の円の面積より小さくすることができる。従って、容器の被挟持部の上側の部分の断面の面積が当該円の面積より小さくても、挟持することができる。
【００１１】
請求項３記載の考案によれば、交差されかつ開閉可能に支持された長尺状の２本の支持体各々の先端に設けられた挟持部により、支持体が閉じられた場合に容器を挟んで保持する容器挟持具において、挟持部を、２本の支持体各々の先端に該開閉により挟持部が移動する面と交差する方向を軸中心として軸支され、容器に当って接触する部分を有する弾性変形可能な部材で構成された1対の挟持部体により構成している。よって、容器の当該挟持部により挟持される部分の太さが変わっても、その太さに応じて1対の挟持部体が弾性変形するので、種々の太さの容器に柔軟に挟持することができる。
【図面の簡単な説明】
【００１２】
【図１】本考案の第１の実施形態にかかる容器挟持具を示した図であり、（Ａ）は、容器挟持具が開かれた様子を示した斜視図であり、（Ｂ）は、容器挟持具の１本の支持体を示した側面図である。
【図２】医療用容器を示した側面図である。
【図３】本実施形態における容器挟持具で容器が挟持された様子を示す図である。
【図４】本実施形態における容器挟持具で容器を挟持する場合の効果を、従来の容器挟持具と比較して、示した図であり、（Ａ）は、従来の容器挟持具で容器が挟持された様子を示す図であり、（Ｂ）は、本実施形態における容器挟持具で容器が挟持された様子を示す図である。
【図５】本考案の第２の実施形態の容器挟持具の挟持部の構成を、従来の容器挟持具と比較して、示した図であり、（Ａ）は、従来の容器挟持具の挟持部の構成を示す図であり、（Ｂ）は、本実施形態における容器挟持具の挟持部の構成を示す図である。
【図６】本考案の第２の実施形態の容器挟持具の挟持部の構成の変形例を、従来の容器挟持具と比較して、示した図であり、（Ａ）は、従来の容器挟持具の挟持部の構成を示す図であり、（Ｂ）、（Ｃ）それぞれは、本実施形態における容器挟持具の挟持部の構成の第１の変形例、第２の変形例を示す図である。
【図７】本考案の第３の実施形態の容器挟持具の挟持部の構成を示した図であり、（Ａ）は、挟持部の上面図であり、（Ｂ）は、挟持部の斜視図である。
【図８】本実施形態の容器挟持部が異なる太さの２つの容器を挟持した場合の挟持部の様子を示した部分断面図である。
【考案を実施するための形態】
【００１３】
次にこの考案の好適実施形態について説明する。この実施形態は、本考案を、医療用容器を挟持する容器挟持具に適用したものである。なお、容器は、医療用容器に限定されるものではない。
図１は、本考案の第１の実施形態にかかる容器挟持具を示した図であり、（Ａ）は、容器挟持具が開かれた様子を示した斜視図であり、（Ｂ）は、容器挟持具の１本の支持体を示した側面図である。
図１に示すように、容器挟持具は、長尺状の２本の支持体１２Ａ，１２Ｂと、２本の支持体１２Ａ，１２Ｂを交差させかつ開閉可能に支持する支持部１４と、２本の支持体１２Ａ，１２Ｂ各々の先端に設けられ、支持体１２Ａ，１２Ｂが閉じられた場合に容器を挟んで保持する、一対の挟持部体１６Ａ、１６Ｂで構成された挟持部１６と、２本の支持体１２Ａ，１２Ｂ各々の他端に設けられ、指が挿入されて２本の支持体１２Ａ，１２Ｂを開閉するためのつまみ部１８Ａ、１８Ｂと、を備えている。
【００１４】
特に、本実施形態では、２本の支持体１２Ａ，１２Ｂの少なくとも挟持部１６側が、２本の支持体１２Ａ，１２Ｂの開閉により挟持部１６が移動する面Ｍから外れるように、曲がっている。より詳細には、屈曲している。
なお、上記のように屈曲することに限定されず、湾曲する構成にしてもよい。また、２本の支持体１２Ａ，１２Ｂと面Ｍとのなす角は、図１に示すように、４５°より小さくしているが、これに限定されず、４５°以上で９０°以下の角となるように構成するようにしてもよい。
図２は、医療用容器２０を示した側面図である。図２に示すように、容器２０は、上記一対の挟持部体１６Ａ、１６Ｂにより挟持される部分である被挟持部２２と、被挟持部２２の上部で、被挟持部２２より、その断面が大きく、一対の挟持部体１６Ａ、１６Ｂに載置する載置部２４と、を備えている。
【００１５】
次に、上記のように構成された容器挟持具１０の作用を説明する。
図３は、本実施形態における容器挟持具１０で容器が挟持された様子を示す図である。上記図１（Ａ）に示したように、つまみ部１８Ａ、１８Ｂに指が挿入されて、２本の支持体１２Ａ，１２Ｂを開き、一対の挟持部体１６Ａ、１６Ｂを容器２０の被挟持部２２（図２参照）に位置させ、２本の支持体１２Ａ，１２Ｂを閉じる。これにより、図３に示すように、一対の挟持部体１６Ａ、１６Ｂにより容器２０の被挟持部２２が挟持される。
【００１６】
図４は、本実施形態における容器挟持具１０で容器を挟持する場合の効果を、従来の容器挟持具と比較して、示した図であり、（Ａ）は、従来の容器挟持具で容器が挟持された様子を示す図であり、（Ｂ）は、本実施形態における容器挟持具１０で容器が挟持された様子を示す図である。
図４（Ａ）に示すように、従来の容器挟持具１００では、２本の支持体の挟持部側が、２本の支持体の開閉により挟持部１６が移動する面Ｍと同一面に位置している。そして、複数の容器が並んで収容されている場合において、その内の１つの容器を取り出そうとして、一対の挟持部体を容器２００の被挟持部に位置させると、２本の支持体の一対の挟持部体が設けられた側１１０とは反対側の部分１２０が別の容器２１０にぶつかってしまい、別の容器２１０が邪魔になる。
【００１７】
これに対し、本実施形態では、図４（Ｂ）に示すように、２本の支持体１２Ａ，１２Ｂの少なくとも挟持部１６側が、２本の支持体１２Ａ，１２Ｂの開閉により挟持部１６が移動する面Ｍから外れるように、曲がっている。よって、複数の容器が並んで収容されている場合において、その内の１つの容器を取り出そうとして、一対の挟持部体１６Ａ、１６Ｂを容器２０の被挟持部２２に位置させると、２本の支持体の一対の挟持部体１２Ａ，１２Ｂが設けられた側とは反対側の部分が別の容器２１の上部に位置させることができる。よって、別の容器２１が邪魔になることを防止することができる。
【００１８】
次に、本考案の第２の実施形態を説明する。なお、本実施形態は、前述した第１の実施形態と同様の部分があるので、異なる部分のみを説明する。特に、本実施形態では、第１の実施形態とは、一対の挟持部体１６Ａ、１６Ｂの構成が相違する。
図５は、本実施形態の容器挟持具１０の挟持部の構成を、従来の容器挟持具と比較して、示した図であり、（Ａ）は、従来の容器挟持具の挟持部の構成を示す図であり、（Ｂ）は、本実施形態における容器挟持具１０の挟持部の構成を示す図である。
【００１９】
図５（Ａ）に示すように、従来の容器挟持具は、２本の支持体１２０Ｊ、１２０Ｈが閉じられた場合に、１対の挟持部体１６Ｊ、１６Ｈにより囲まれる領域が円５０である。よって、容器２０の被挟持部２２の上側の載置部２４の断面の面積が当該円５０の面より小さいと、載置部２４が１対の挟持部体１６Ｊ、１６Ｈに載置することができず、容器を挟持することができない。
これに対し、本実施形態では、図５（Ｂ）に示すように、挟持部１６は、支持体１２Ａ、１２Ｂが閉じられた場合における挟持部１６及び支持体１２Ａ、１２Ｂの接続部位３０と挟持部１６の先端部位４０とを通る円５０の内側に配置された１対の挟持部体１６Ａ、１６Ｂにより構成されている。より詳細には、円５０の内側において、１対の挟持部体１６Ａ、１６Ｂは楕円５５を形成するように構成されている。
よって、本実施形態では、載置部２４の断面が楕円５５内に形成される円５２より大きい場合には、載置部２４は、１対の挟持部体１６Ａ、１６Ｂに載置することになる。
【００２０】
以上説明したように本実施形態では、挟持部１６を、支持体１２Ａ、１２Ｂが閉じられた場合における挟持部１６及び支持体１２Ａ、１２Ｂの接続部位３０と挟持部１６の先端部位４０とを通る円５０の内側に配置された１対の挟持部体１６Ａ、１６Ｂにより構成している。よって、支持体１２Ａ、１２Ｂが閉じられた場合に、１対の挟持部体１６Ａ、１６Ｂにより囲まれる領域を上記円５０の面積より小さくすることができる。従って、容器２０の載置部２４の断面の面積が当該円５０の面積より小さくても、挟持することができる。
本実施形態における挟持部体の構成は、上述した構成（楕円を形成する例）に限定されるものではなく、例えば、以下に説明する構成を採用することができる。
【００２１】
図６は、本実施形態の容器挟持具１０の挟持部の構成の変形例を、従来の容器挟持具と比較して、示した図であり、（Ａ）は、従来の容器挟持具の挟持部の構成を示す図であり、（Ｂ）、（Ｃ）それぞれは、本実施形態における容器挟持具１０の挟持部の構成の第１の変形例、第２の変形例を示す図である。
図６（Ｂ）に示すように、第１の変形例では、１対の挟持部体１６Ａ、１６Ｂは、上記円５０の内側に、コの字を形成するように構成している。本変形例では、載置部２４の断面が、１対の挟持部体１６Ａ、１６Ｂによりコの字が形成された領域内に形成される円５２より大きい場合には、載置部２４は、１対の挟持部体１６Ａ、１６Ｂに載置することになる。
【００２２】
また、図６（Ｃ）に示すように、第２の変形例では、１対の挟持部体１６Ａ、１６Ｂは、上記円５０の内側に、くの字を形成するように構成している。本変形例では、載置部２４の断面が、１対の挟持部体１６Ａ、１６Ｂによりくの字が形成された領域内に形成される円５４より大きい場合には、載置部２４は、１対の挟持部体１６Ａ、１６Ｂに載置することになる。
以上説明した第１の変形例および第２の変形例はともに、１対の挟持部体１６Ａ、１６Ｂにより囲まれる領域を上記円５０の面積より小さくすることができる。従って、容器２０の載置部２４の断面の面積が当該円５０の面積より小さくても、挟持することができる。
【００２３】
次に、本考案の第３の実施形態を説明する。なお、本実施形態は、前述した第１の実施形態と同様の部分があるので、異なる部分のみを説明する。特に、本実施形態では、第１の実施形態とは、支持体１２Ａ、１２Ｂの先端（挟持部１６が設けられる側）の構成、一対の挟持部体１６Ａ、１６Ｂの構成が相違する。
図７は、本実施形態の容器挟持具１０の挟持部の構成を示した図であり、（Ａ）は、挟持部の上面図であり、（Ｂ）は、挟持部の斜視図である。図７に示すように、支持体１２Ａ、１２Ｂは、閉じた状態でも、その先端（挟持部１６が設けられる側）は外側に開くように曲がって形成されている。
【００２４】
また、挟持部１６を構成する1対の挟持部体１６Ａ、１６Ｂは、２本の支持体１２Ａ、１２Ｂ各々の先端、即ち、上記のように外側に開くように曲がっている部分の先端に、支持体１２Ａ、１２Ｂの開閉により挟持部１６が移動する面（図７における面に対応する面）と交差（例えば、直交）する方向を軸中心として軸支されている。そして、挟持部体１６Ａ、１６Ｂは、容器２０に当って接触する部分を有する弾性変形可能な部材で構成されている。なお、挟持部体１６Ａ、１６Ｂは、面によって容器２０に当って接触するように構成されているが、本考案はこれに限定されるものではなく、例えば棒状、即ち、線状に容器２０に当って接触するように構成してもよい。
【００２５】
図８は、本実施形態の容器挟持部が異なる太さの２つの容器２０Ａ、２０Ｂを挟持した場合の挟持部１６の様子を示した部分断面図である。
図８に示すように、本実施形態では、挟持部体１６Ａ、１６Ｂを、弾性変形可能な部材で構成している。よって、容器２０Ａ、２０Ｂの当該挟持部１６により挟持される被挟持部２２Ａ、２２Ｂの太さが変わっても、その太さに応じて挟持部体１６Ａ、１６Ｂが弾性変形するので、種々の太さの容器を柔軟に挟持することができる。
【００２６】
以上説明した第１の実施形態では、支持部１６の構成は特に限定された構成が必要ではなく、従来のように、一対の支持部体が円を形成するように構成されていてもよく、第２の実施形態や第３の実施形態の構成を採用してもよい。同様に、第２の実施形態や第３の実施形態では、支持体の構成は、従来の容器挟持具の構成を採用してもよく、第１の実施形態の構成を採用してもよい。
従って、以下の態様が提案される。
【００２７】
まず、第１の態様にかかる容器挟持具は、長尺状の２本の支持体と、前記２本の支持体を交差させかつ開閉可能に支持する支持部と、前記２本の支持体各々の先端に設けられ、前記支持体が閉じられた場合に容器を挟んで保持する挟持部と、を備え、前記２本の支持体の少なくとも前記挟持部側が、前記開閉により前記挟持部が移動する面から外れるように、曲がっていることを特徴とする。
第２の態様として、第１の態様にかかる容器挟持具は、前記挟持部を、前記支持体が閉じられた場合における前記挟持部及び前記支持体の接続部位と前記挟持部の先端部位とを通る円の内側に配置された１対の挟持部体により構成してもよい。
【００２８】
第３の態様として、第１の態様にかかる容器挟持具は、前記挟持部を、前記２本の支持体各々の先端に前記開閉により前記挟持部が移動する面と交差する方向を軸中心として軸支され、前記容器に当って接触する部分を有する弾性変形可能な部材で構成された1対の挟持部体により構成してもよい。
同様に以下の態様が提案される。
【００２９】
まず、第４の態様にかかる容器挟持具は、長尺状の２本の支持体と、前記２本の支持体を交差させかつ開閉可能に支持する支持部と、前記２本の支持体各々の先端に設けられ、前記支持体が閉じられた場合に容器を挟んで保持する挟持部と、を備え、前記挟持部は、前記支持体が閉じられた場合における前記挟持部及び前記支持体の接続部位と前記挟持部の先端部位とを通る円の内側に配置された１対の挟持部体により構成されたことを特徴とする。
第５の態様として、第４の態様において、前記２本の支持体の少なくとも前記挟持部側が、前記開閉により前記挟持部が移動する面から外れるように、曲がっているようにしてもよい。
【００３０】
また、第６の態様にかかる容器挟持具は、長尺状の２本の支持体と、前記２本の支持体を交差させかつ開閉可能に支持する支持部と、前記２本の支持体各々の先端に設けられ、前記支持体が閉じられた場合に容器を挟んで保持する挟持部と、を備え、前記挟持部は、前記２本の支持体各々の先端に前記開閉により前記挟持部が移動する面と交差する方向を軸中心として軸支され、前記容器に当って接触する部分を有する弾性変形可能な部材で構成された1対の挟持部体により構成されたことを特徴とする。
第７の態様として、第６の態様において、前記２本の支持体の少なくとも前記挟持部側が、前記開閉により前記挟持部が移動する面から外れるように、曲がっているようにしてもよい。
【符号の説明】
【００３１】
１０ 容器挟持具
１２Ａ、１２Ｂ 支持体
１４ 支持部
１６ 挟持部
１６Ａ、１６Ｂ 挟持部体
１８Ａ、１８Ｂ つまみ部
２０ 容器
２２ 被挟持部
２４ 載置部
【図１】
0003170516.tif 000003
【図２】
0003170516.tif 000004
【図３】
0003170516.tif 000005
【図４】
0003170516.tif 000006
【図５】
0003170516.tif 000007
【図６】
0003170516.tif 000008
【図７】
0003170516.tif 000009
【図８】
0003170516.tif 000010